【事件の表示】
　平成　８年特許願第２７９８３４号「携帯電話器用のストラップ」拒絶査定に対する審判事件［平成１０年　８月２５日出願公開、特開平１０−２２９４３７］について、次のとおり審決する。
【結　論】
　本件審判の請求は、成り立たない。
【理　由】
［１］手続の経緯、本願発明
　本願は、平成８年９月１３日の出願であって、平成１３年２月１５日付け手続補正により補正された明細書及び図面の記載からみて、その請求項１に係る発明（以下、「本願発明」という。）は、特許請求の範囲の請求項１に記載された次のとおりのものである。
「【請求項１】　先端側が電話器本体の一部に取付けられ、手首に巻回される程度のループ状に形成されるストラップ本体の表面に、ストラップ本体と異なる色調で形成されると共に、一目で所定内容の目視が可能なメッセージ部を付設し、このメッセージ部の所定内容およびメッセージ部の色調とメッセージ部以外のストラップ本体表面の色調との関係などにより、自己の携帯電話機と他の携帯電話機との差別化を図り、目視により携帯電話機同士における違いの識別を可能とすることを特徴とする携帯電話機用のストラップ。」
　なお、平成１３年６月２１日付け手続補正は、当該補正により補正された発明が本願特許出願の際独立して特許を受けることができないという理由により、決定をもって却下した。
　
［２］引用例
　原査定の拒絶の理由に引用された登録実用新案第３００６２３２号公報（平成７年１月２４日発行、以下、「刊行物１」という。）には、
　ア．「次の（１）から（６）に記載された文言、図柄等をデザインした、カメラ、ビデオカメラ、双眼鏡等の肩掛けストラップ。
（１）　人名、地名など固有名称、またはその愛称名、通称名など。
（２）　熟語、標語、慣用句、格言など、また物心を表現する文字など。
（３）　動物、植物、風景など、またそれらの抽象化したもの。
（４）　歴史、芸能、民芸、民話などの事物、またそれらの抽象化されたもの。
（５）　美術、芸術、文学などの作品、またそれらに準ずる作品。
（６）　固有名称の愛称マーク、民間の家紋、国旗などの図柄、またそれらの抽
象化されたもの。」（実用新案登録請求の範囲）、
　イ．「カメラ等のストラップ、その肩帯の部分に文言や図柄をとり入れ、多様でかつ個性的なアイデンティティーに富んだストラップである。
　これまでは、カメラメーカー、写真用機器や材料の製造社名またその販売社名のはいった単純な図柄のストラップで、実用本位に作られており、自分の信条や遊びごころから選ぶ多様なものはみられなかった。
　本案は、自分の出身地や居住地、好んで訪れる地名（例えば富士山など）、また自然、歴史、芸能、民話上の図柄、民間の家紋、国旗をあしらった模様、野球のチームなどの名称、愛称マーク（当時者の承諾が必要なものもある）、知的な文言などをとり入れた多様でアイデンティティーに富んだストラップである。肩帯部分のみのワンタッチ式のカバー形式、さや形式等にも適用される。」（考案の詳細な説明）
と記載されている。
　したがって、これらの記載並びに技術常識を勘案すると、
　刊行物１には、
「ストラップの肩帯に、文言や図柄をデザインした部分を設け、アイデンティティーを持たせたカメラ等の肩掛けストラップ。」、
を構成とする発明（以下、「刊行物１に記載された発明」という。）が記載されているものと認める。
　
［３］対比・判断
　本願発明と、刊行物１に記載された発明を対比すると、
（ａ）本願発明の「携帯電話機」と、刊行物１に記載された発明の「カメラ等」とは、ともに携帯して使用する機器であるから、「携帯用機器」である。
（ｂ）刊行物１に記載された発明の「ストラップの肩帯」は、「ストラップ本体」を表し、「文言や図柄をデザインした部分」は、視認可能でなければならないことから、「ストラップ本体の表面に」設けられることは自明のことである。
（ｃ）刊行物１に記載された発明の「文言や図柄」は、本願発明の「所定内容」に相当する。
（ｄ）刊行物１に記載された発明の「文言や図柄をデザインした部分」は、本願発明の「メッセージ部」に相当する。
（ｅ）刊行物１に記載された発明において、「文言や図柄」が一目で目視が可能であることは自明のことであり、上記（ｃ）であるから、刊行物１に記載された発明において、「所定内容」が一目で目視が可能であることは自明のことである。
（ｆ）刊行物１に記載された発明では、ストラップに形成された「文言や図柄」により、アイデンティティーに富んだストラップが得られ、ストラップ自体が自他識別機能を持っていることは、自明のことである。
　
　したがって、両者は、
　「ストラップ本体の表面に、形成されると共に、一目で所定内容の目視が可能なメッセージ部を付設し、このメッセージ部の所定内容により、自己の携帯用機器と他の携帯用機器との差別化を図り、目視により携帯用機器同士における違いの識別を可能とする携帯用機器のストラップ。」の点で一致し、
　
　（１）ストラップの形状及び「携帯用機器のストラップ」について、本願発明では、先端側が電話器本体の一部に取り付けられ、手首に巻回される程度のループ状に形成されるストラップであり、「携帯電話機用のストラップ」であるのに対し、刊行物１に記載された発明では、本願発明のような形状についての記載はなく、「カメラ等の肩掛けストラップ」である点、
　（２）メッセージ部の形成の仕方について、補正後の発明では、「ストラップ本体と異なる色調で形成」されるに対し、刊行物１に記載された発明では、このような色調に関する記載がない点、
　（３）自己の携帯用機器と他の携帯用機器との差別化を図り、目視により携帯用機器同士における違いの識別を可能とするため、「メッセージ部の所定内容」の他、本願発明では、「メッセージ部の色調とメッセージ部以外のストラップ本体表面の色調との関係など」を用いているのに対し、刊行物１に記載された発明には、色調を用いることについては格別の記載がない点、
　で相違する。
　そこで、上記相違点（１）〜（３）について検討する。
　
　相違点（１）について
　カメラ、携帯電話機に用いられるストラップを、先端側がカメラ、携帯電話機本体の一部に取り付けられ、手首に巻回される程度のループ状に形成することは、周知・慣用技術である（必要であれば、例えば、
　（ａ）特開平８−１５４７２５号公報（平成８年６月１８日公開）の記載、特に、「本発明は、カメラや携帯ラジオ、携帯電話、その他各種機器類や手提げバッグ等の被吊体に対して取付けられる吊紐用としてのハンドストラップに関するものである」（第１段落）との記載、
　（ｂ）特開平８−１００３１号公報（平成８年１月１６日公開）の記載、特に、「本発明は、例えば携帯電話器や携帯ラジオあるいはカメラなどに吊り下げ用として、あるいはこれらを手で持つ際のバックアップ的な支持用などとして用いられるハンドストラップに関する」（第１段落）との記載、
　（ｃ）登録実用新案公報第３０１８６０８号公報（平成７年１１月２８日発行）の記載、特に、「本考案は小型カメラや携帯電話、その他各種機器類及び手提げバッグ等の被吊体に対して取付けられる吊紐用としてハンドストラップに関する」（３頁、第１段落）との記載、
　（ｄ）実願平５−２２１０９号（実開平６−７５２２３号）のＣＤ−ＲＯＭ（平成６年１０月２５日公開）の記載、特に、「本考案は携帯電話機、携帯ラジオ、小型カメラ、その他各種機器類や手提げバッグ等の吊紐用としてのストラップ」（３頁、第１段落）との記載、を参照。）。
　
　してみれば、刊行物１に記載された発明において、上記周知・慣用技術を考慮、し、すなわち、上記周知・慣用技術において、カメラに用いられるストラップを、先端側がカメラ（携帯用機器）本体の一部に取り付けられ、手首に巻回される程度のループ状のものとすること、並びに、カメラに用いられるストラップと同様のストラップが携帯電話機で使用されることが当業者に自明の事項であることを考慮し、ストラップを、先端側がカメラ等の携帯用機器本体の一部に取り付けられ、手首に巻回される程度のループ状に形成するストラップと構成する、とともに、該ストラップと同様のストラップを携帯電話機に使用し、刊行物１に記載された発明において、ストラップの形状及び「携帯用機器のストラップ」について、先端側が電話器本体の一部に取り付けられ、手首に巻回される程度のループ状に形成されるストラップであり、「携帯電話機用のストラップ」とすることは、当業者が容易に想到し得る程度の事項である。
　
　相違点（２）、（３）について
　模様（図柄、文言等のかたち）だけでなく、その色調を利用して識別性を向上することは、周知・慣用事項である。　
　してみれば、刊行物１に記載された発明において、上記周知・慣用事項を考慮し、メッセージ部の形成の仕方について、「ストラップ本体と異なる色調で形成」される（相違点（２））、となし、自己の携帯用機器と他の携帯用機器との差別化を図り、目視により携帯用機器同士における違いの識別を可能とするため、メッセージ部の所定内容の他、「メッセージ部の色調とメッセージ部以外のストラップ本体表面の色調との関係など」を用いる（相違点（３））、ように構成することは、当業者が容易に想到し得る程度のことである。
　
［４］むすび
　したがって、本願の請求項１に係る発明は、本願出願前に頒布された上記刊行物に記載された発明及び周知・慣用技術、事項に基づいて当業者が容易に発明をすることができたものであるから、本願発明は、特許法第２９条第２項の規定により特許を受けることができない。
　よって、結論のとおり審決する。